(57)【要約】【課題】撮像素子ユニットの位置が変動しても撮像素子ユニットの防塵性を維持し、撮像素子ユニットへの接触負荷を小さくすること【解決手段】カメラ１００は、被写体の光学像を光電変換する撮像素子１０３を有する撮像素子ユニット５００と、シャッターユニット１１０と、撮像素子ユニット５００に固定される固定部７１０ｃからシャッターユニット１１０に向かって延びる腕部７１０ａと、を有する防塵シート７１０と、を有する。【選択図】図９
2020003546.tif 000002
【特許請求の範囲】
【請求項１】
被写体の光学像を光電変換する撮像素子を有する撮像素子ユニットと、
駆動ユニットと、
前記撮像素子ユニット及び前記駆動ユニットの一方に固定される固定部と、該固定部から前記撮像素子ユニット及び前記駆動ユニットの他方に向かって延びる腕部と、を有する防塵部材と、
を有することを特徴とする撮像装置。
【請求項２】
前記腕部は、前記他方に接触することを特徴とする請求項１に記載の撮像装置。
【請求項３】
前記腕部は、前記他方に弾性変形により接触することを特徴とする請求項２に記載の撮像装置。
【請求項４】
前記防塵部材は、シート材料から構成される請求項３に記載の撮像装置。
【請求項５】
前記腕部は、前記固定部から光軸に対して斜めに延びることを特徴とする請求項３又は４に記載の撮像装置。
【請求項６】
前記腕部は、断面Ｌ字形状の折れ曲がり部を有し、該折れ曲がり部において前記他方に接触することを特徴とする請求項３乃至５のうちいずれか１項に記載の撮像装置。
【請求項７】
前記撮像素子ユニットは、光学部品と電気部品を含み、
前記腕部は、前記駆動ユニットから前記光学部品および前記電気部品の少なくとも一方への経路を狭めるまたは遮断することを特徴とする請求項１乃至６のうちいずれか１項に記載の撮像装置。
【請求項８】
前記撮像素子ユニットは、光学部品と、該光学部品を振動させる振動部材と、前記固定部を前記一方に固定すると共に振動を減衰する振動減衰部材と、を更に有することを特徴とする請求項１乃至７のうちいずれか１項に記載の撮像装置。
【請求項９】
前記腕部の第１の方向における長さは、前記第１の方向における前記撮像素子の光電変換領域よりも長いことを特徴とする請求項１乃至８のうちいずれか１項に記載の撮像装置。
【請求項１０】
前記撮像素子ユニットは、前記撮像装置に対する前記撮像素子ユニットの位置調整用のコイルばねを更に有し、
前記コイルばねによる付勢力よりも前記腕部の前記他方への接触圧の方が小さいことを特徴とする請求項１乃至９のうちいずれか１項に記載の撮像装置。
【請求項１１】
前記撮像素子ユニットを光軸と直交する面方向に駆動する手段を更に有し、
前記腕部の前記他方への弾性変形量を前記面方向に換算した場合の移動量は、前記手段による前記撮像素子ユニットの移動量よりも大きいことを特徴とする請求項１乃至１０のうちいずれか１項に記載の撮像装置。
【請求項１２】
前記固定部は、前記撮像素子ユニット及び前記駆動ユニットの一方の光軸に平行な少なくとも一つの面に固定されることを特徴とする請求項１乃至１１のうちいずれか１項に記載の撮像装置。
【請求項１３】
前記駆動ユニットはシャッターユニットであり、該シャッターユニットは、複数の遮光部材を収納する第１の筐体と、前記複数の遮光部材を移動させる移動機構を収納し、前記第１の筐体の像側に設けられた第２の筐体と、を有することを特徴とする請求項１乃至１２のうちいずれか１項に記載の撮像装置。
【請求項１４】
前記腕部は、前記第１の筐体の撮影光束が通過する開口部と前記第２の筐体の間の、前記第１の筐体の像側の面に接触することを特徴とする請求項１３に記載の撮像装置。
【請求項１５】
前記シャッターユニットは、前記複数の遮光部材をチャージするチャージユニットを更に有し、前記チャージユニットは、前記第１の筐体に固定され、前記移動機構を駆動するチャージレバーが固定されるベースを有し、
前記腕部は前記ベースに接触することを特徴とする請求項１３に記載の撮像装置。
【請求項１６】
前記撮像素子ユニットは電気部品と該電気部品を固定する固定部材を含み、
前記腕部は、前記電気部品または前記固定部材に接触することを特徴とする請求項２乃至５のうちいずれか１項に記載の撮像装置。
【請求項１７】
前記被写体の光学像を形成する光学系を更に有することを特徴とする請求項１乃至１６のうちいずれか１項に記載の撮像装置。
【発明の詳細な説明】
【技術分野】
【０００１】
本発明は、デジタルカメラ等の撮像装置の防塵構成に関する。
【背景技術】
【０００２】
近年のカメラの光軸方向の薄型化の要請からシャッター羽根を駆動するチャージユニットが撮像素子ユニットの近傍に配置されることが必要となる場合がある。この場合、シャッターやチャージユニットから生じるゴミが、撮像素子ユニットの光学部品に付着して撮影画像に映り込んだり、撮像素子ユニットの電気部品をショートさせたりするという問題が発生する。
【０００３】
特許文献１は、開口部を有するマスターフランジと撮像素子との間の隙間を遮蔽する防塵シートとを備え、防塵シートは、開口部の開口縁に押し付けられ、開口縁は長方形状であって、隅部が外方に張り出している撮像素子支持構造を開示している。
【先行技術文献】
【特許文献】
【０００４】
【特許文献１】特開２０１２−０２３７１８号公報
【発明の概要】
【発明が解決しようとする課題】
【０００５】
しかしながら、特許文献１では、フランジバックの長さを調整するために、撮像素子ユニットの位置が撮像光学系の光軸方向で変動する場合、撮像素子ユニットとその前面に配置される部品の距離を等しく維持できなくなるおそれがある。また、撮像素子ユニットを移動させて防振を行う場合、撮像素子ユニットと防塵部材が面接触するため、摩擦力が大きく、所望の防振効果を得られない可能性がある。
【０００６】
本発明は、撮像素子ユニットの位置が変動しても撮像素子ユニットの防塵を維持し、撮像素子ユニットへの接触負荷を小さくすることが可能な撮像装置を提供することを目的とする。
【課題を解決するための手段】
【０００７】
本発明の一側面としての撮像装置は、被写体の光学像を光電変換する撮像素子を有する撮像素子ユニットと、駆動ユニットと、前記撮像素子ユニット及び前記駆動ユニットの一方に固定される固定部と、該固定部から前記撮像素子ユニット及び前記駆動ユニットの他方に向かって延びる腕部と、を有する防塵部材と、を有する。
【発明の効果】
【０００８】
本発明によれば、撮像素子ユニットの位置が変動しても撮像素子ユニットの防塵性を維持し、撮像素子ユニットへの接触負荷を小さくすることが可能な撮像装置を提供することができる。
【図面の簡単な説明】
【０００９】
【図１】本発明の撮像装置の構成を表す概略断面図である。（実施例１、２）
【図２】本発明の撮像装置の回路構成を示すブロック図である。（実施例１、２）
【図３】図１に示す撮像装置の分解斜視図である。（実施例１）
【図４】図３に示すシャッターユニットの分解斜視図である。（実施例１）
【図５】図４に示すシャッターユニットの動作を説明する平面図と側面図である。（実施例１）
【図６】図４に示すシャッターユニットの動作を説明する平面図と側面図である。（実施例１）
【図７】図１に示す撮像素子ユニットの斜視図とその分解斜視図である。（実施例１）
【図８】本発明の撮像装置の正面図である。（実施例１）
【図９】本発明の撮像装置の概略部分断面図である。（実施例１）
【図１０】図７に示す撮像素子ユニットを被写体側から見た平面図である。（実施例１）
【図１１】本発明のシャッターユニットの斜視図である。（実施例２）
【図１２】本発明の撮像装置の概略断面図である。（実施例２）
【発明を実施するための形態】
【００１０】
以下、本発明の好ましい実施例について、添付図面を参照して詳細に説明する。
【実施例１】
【００１１】
図１は、実施例１の撮像装置としてのカメラ（カメラ本体）１００の概略断面図である。カメラ１００には交換レンズ（レンズ装置）が交換可能に装着されてカメラシステムを構成する。交換レンズは、被写体の光学像（被写体像）を形成する撮影光学系としての撮影レンズ１０１を含んでいる。撮影レンズ１０１は、フォーカスレンズ１０２、ズームレンズ等の複数のレンズ、絞り等を含む。本発明は、本実施例のようなレンズ交換型の撮像装置だけでなく、撮影光学系を有するレンズ一体型の撮像装置にも適用できる。ＯＡは光軸である。
【００１２】
カメラ１００の内部には、ＣＣＤやＣＭＯＳ等の、撮像面に結像された被写体像を光電変換してアナログ電気信号を出力する撮像素子１０３が撮像基板１０４（電気部品）に実装されている。撮像基板１０４の背面側（物体側とは反対側）には各種処理を行うメイン基板１０５が設けられている。撮像基板１０４は、撮影レンズ１０１の取付面に対して、撮像素子１０３の撮像面が所定の距離を空けて、かつ平行になるように図７に示すコイルばね９００の圧縮量（ばね圧）が調整されカメラ１００に固定される。撮像基板１０４とメイン基板１０５にはカメラ１００の画像処理やシステム制御を行う、図２に示すカメラマイコン２０４、ＡＤＴＧなど各種電気部品が実装されている。撮像基板１０４とメイン基板１０５は電気的に接続されている。撮像素子１０３、撮像基板１０４は図３に示す撮像素子ユニット５００を構成する。
【００１３】
カメラ１００の上面には、撮影条件や、構図、撮影した画像の確認などに用いるファインダー内表示装置１０６、被写体像を観察する接眼レンズ１０７が設けられている。本発明は、クイックリターンミラーを有しない所謂ミラーレスカメラ（ノンリフレックスカメラ）にも適用可能である。カメラ１００の背面には撮影条件や、構図、撮影した画像の確認などに用いる背面表示装置１０８、生成された画像データを記録する着脱可能な記録媒体を保持するための記録媒体スロットが設けられている。
【００１４】
撮像素子１０３の前方（物体側）には露光時間を調整するためのシャッターユニット１１０が設けられている。なお、図１の左側が前側（物体側）で、右側が後ろ側（像側）である。マウントＭは、カメラ１００と交換レンズを接続するためのインターフェースであり、交換レンズはマウントＭに着脱可能に構成されている。三脚固定ネジ部ＴＲは、三脚座に固定可能である。
【００１５】
図２は、カメラ１００の電気回路構成を示すブロック図である。交換レンズには焦点調節を行うフォーカスレンズ１０２、フォーカスレンズ１０２を駆動するレンズ駆動回路２０１、レンズ制御回路２０５が設けられている。
【００１６】
撮像素子１０３の前面には略矩形の形状を有する光学ローパスフィルタ７００（光学部品）が配置され、撮像素子１０３に入射される光束を複数に分離し、偽解像信号や偽色信号の発生を効果的に低減させる。
【００１７】
７０１は光学ローパスフィルタ７００に振動を与える圧電素子であり、光学ローパスフィルタ７００と一体的に振動する。カメラマイコン２０４は、圧電素子７０１を駆動する圧電素子駆動回路２０００を制御する。撮像素子ユニット５００は、光学ローパスフィルタ７００、圧電素子７０１を更に含む。
【００１８】
撮像素子１０３は焦点検出センサ２０２を内蔵し、焦点検出センサ２０２は位相差方式の焦点検出を行う。なお、焦点検出方式は限定されない。焦点検出センサ２０２から出力される信号は、焦点駆動回路２０３に供給され、被写体像信号に換算された後、カメラマイコン２０４に送信される。カメラマイコン２０４は、被写体像信号に基づいて位相差方式による焦点検出演算を行い、マウント接点２１４、レンズ制御回路２０５及びレンズ駆動回路２０１を介してフォーカスレンズ１０２を合焦位置に駆動させる。
【００１９】
撮像素子１０３は撮像基板１０４に接続されている。撮像基板１０４は、駆動制御回路２０６、Ａ／Ｄ変換回路２０７を有する。駆動制御回路２０６は撮像素子１０３の駆動（電荷蓄積等）を制御する。駆動制御回路２０６により駆動制御され、撮像素子１０３から出力されたアナログ信号はＡ／Ｄ変換回路２０７によりデジタル信号に変換される。
【００２０】
撮像基板１０４とメイン基板１０５は電気的に接続されている。メイン基板１０５には、焦点駆動回路２０３、カメラマイコン２０４、画像処理回路２０８、デジタル回路マイコン２０９、圧電素子駆動回路２０００、撮像ユニット駆動回路３０００が設けられている。
【００２１】
Ａ／Ｄ変換回路２０７から出力されたデジタル信号は、画像処理回路２０８で処理され、画像データが生成される。画像データは不図示のメモリへ保存されたり、背面表示装置１０８等に表示されたりする。
【００２２】
デジタル回路マイコン２０９はＣＰＵバスを介して画像処理回路２０８等と通信し、データの授受を行い、これらを統括的に制御する。カメラマイコン２０４は、スイッチや釦などの状態の検知などを行う制御手段である。カメラマイコン２０４はＥＥＰＲＯＭ２１３からなる記憶手段を有し、カメラ１００の各種設定値が記録されている。カメラマイコン２０４は、レンズ制御回路２０５と、マウント接点２１４を介して通信し、カメラシステム全体を制御する。マウント接点２１４は、交換レンズが接続されるとカメラマイコン２０４へ信号を送信する。レンズ内メモリ２１５には、レンズの固有情報（焦点距離や画角、絞り量に関する情報等）が記録されている。
【００２３】
図３は、カメラ１００の分解斜視図である。カメラ１００は、マウントＭを有する前枠、シャッターユニット１１０、撮像素子ユニット５００を有する。シャッターユニット１１０は、本体部１２０と、本体部１２０のシャッター羽根をチャージするシャッターチャージユニット１３０を含む。
【００２４】
図４は、シャッターユニット１１０の分解斜視図である。本体部１２０は、シャッター羽根ユニット１２３を収納する第１の筐体１２１と、シャッター羽根ユニット１２３を移動する移動機構を収納する第２の筐体１２５を有する。第２の筐体１２５は第１の筐体１２１の像側に設けられている。従来は第２の筐体１２５は第１の筐体１２１の物体側に設けられていたが、薄型化のために像側に設けられた構成ではゴミの発生が問題となる。
【００２５】
シャッター羽根ユニット１２３は、先幕と後幕により構成される複数のシャッター羽根を有し、カメラマイコン２０４（ＣＰＵ等の制御部）によりシャッターチャージユニット１３０を介して駆動制御される。複数のシャッター羽根は、開口部１２２を閉鎖状態と開放状態とに往復移動可能な遮光部材である。第１の筐体１２１は、撮像素子１０３の物体側（被写体側）に配置され、フォーカルプレンシャッターを構成する。第１の筐体１２１は、地板とカバー部材から構成され、撮影光束が通過する開口部１２２を有する。
【００２６】
第２の筐体１２５は、図４では撮像素子ユニット５００の右側（光軸に直交する方向）に配置される。複数のシャッター羽根を移動する移動機構はシャッターセット部材１２６を含む。シャッターセット部材１２６が回転すると、シャッター羽根ユニット１２３は、公知の方法で走行待機状態（セット状態）及びチャージ完了状態となる。
【００２７】
第１の筐体１２１の開口部１２２の端部１２２ａと第２の筐体１２５の間であって第１の筐体１２１の像側の面１２１ａの領域において後述する防塵シート（防振部材）７１０の腕部７１０ａと防塵シート７１０の弾性力により接触する。
【００２８】
シャッターチャージユニット１３０は、本体部１２０と撮像素子ユニット５００との間に配置される。シャッターチャージユニット１３０は、シャッターチャージベース１３１、シャッターチャージレバー１４０、モーター保持部材１５０を有する。シャッターチャージベース１３１は、モーター保持部材１５０、シャッターチャージレバー停止部材１４８を保持し、シャッターチャージレバー１４０を上下に摺動可能に支持する。シャッターチャージベース１３１は、開口部１２２を開口する開口部１３９を有する枠部材であり、被写体側に折り曲げられた起立部１３２、上側の平板部１３３、下側の平板部１３４、像側に折り曲げられた起立部１３５を有する。シャッターチャージベース１３１は、平板部１３３を介して本体部１２０の第１の筐体１２１に不図示のビスにより固定されている。
【００２９】
起立部１３５は、開口部１３９側の面１３６の後ろ側（像側）の端部１３６ａにおいて防塵シート７１０の腕部７１０ｂと防塵シート７１０の弾性力により接触する。また、起立部１３５の面１３６と反対側の面１３７には、シャッターチャージレバー１４０が抜け止め部材１４１により、上下方向の移動以外を規制された状態で固定されている。
【００３０】
モーター保持部材１５０は、モーター１６０を保持し、第１ギヤ１６２を回転可能に軸支する。ギヤ保持部材１５２は、第１ギヤ１６２の回転軸方向への抜けを防止し、第２ギヤ１６３を回転可能に軸支し、モーター保持部材１５０に不図示のビスにより固定されている。カムギヤ軸部材１５４は、カムギヤ１６４を回転可能に軸支し、ギヤ保持部材１５２に不図示のビスにて固定されている。バネ保持部材１５６は、バネ１４５を軸支し、第２ギヤ１６３の回転方向への抜けを防止する。また、バネ保持部材１５６は、ギヤ保持部材１５２に不図示のビスにて固定されている。
【００３１】
ネジ１６５は、カムギヤ１６４の回転方向への抜け止めをする。ネジ１４６はバネ１４５の軸方向への抜け止めをする。モーター１６０が回転すると、モーター１６０の回転軸に固定されたピニオンギア１６１が回転し、それに伴い第１ギヤ１６２、第２ギヤ１６３が回転し、カムギヤ１６４が回転する。カムギヤ１６４が回転すると、シャッターチャージレバー１４０が上下移動する。バネ１４５は、シャッターチャージレバー１４０を図６から図５の状態に戻すようにシャッターチャージレバー１４０を付勢している。
【００３２】
図５（ａ）と（ｂ）は、シャッター羽根ユニット１２３がセット解除及び走行完了時のシャッターセット部材１２６、シャッターチャージレバー１４０、及びカムギヤ１６４の（図４の矢印Ａから見た）平面図と（矢印Ｂから見た）側面図である。図６（ａ）と（ｂ）は、シャッター羽根ユニット１２３がチャージ完了時のシャッターセット部材１２６、シャッターチャージレバー１４０、及びカムギヤ１６４の（図４の矢印Ａから見た）平面図と（矢印Ｂから見た）側面図である。
【００３３】
図５（ａ）において、モーター１６０が回転すると、カムギヤ１６４が回転中心１６４ａを中心として紙面反時計回りに回転する。この時、シャッターチャージレバー１４０の当接部（底面）１４２とカムギヤ１６４の当接部（ギヤ部）１６４ｂが当接し、シャッターチャージレバー１４０は、紙面上方向に移動を開始し、図６（ａ）に示す状態となる。
【００３４】
また、図５（ｂ）によれば、シャッターチャージレバー１４０の紙面上方向への移動により、シャッターチャージレバー１４０の当接部１４３とシャッターセット部材１２６の当接部１２７が当接する。シャッターセット部材１２６は、回転中心１２６ａを中心として紙面反時計回りに回転し、図６（ｂ）に示す状態となる。シャッターセット部材１２６のカム部１２８、１２９が移動することにより、不図示のシャッター駆動レバーが走行待機位置に移動し、シャッター羽根ユニット１２３がセット状態となる。
【００３５】
上記のように、シャッターチャージレバー１４０は撮像素子ユニット５００の側面部にて上下移動するため、駆動時に生じる部品同士の摩擦や衝突等により部品が削れたゴミ等が発生してしまうおそれがある。ゴミが、撮像素子ユニット５００の光学部材に付着すると撮影画像に映り込む原因となり、撮像素子ユニット５００の電気部品に付着するとショートさせる原因となる。このため、ゴミを撮像素子ユニット５００に付着することから防止する必要がある。
【００３６】
図７（ａ）、（ｂ）は、撮像素子ユニット５００の斜視図及び分解斜視図である。撮像基板１０４には、撮像素子１０３及び撮影光学系の電気回路が実装され、撮像素子１０３と固定部材７０２の取り付け用の不図示の穴が開いている。固定部材７０２には、撮像素子１０３との取り付け用の不図示の腕部が出ており、撮像基板１０４の穴部を貫通させて撮像素子１０３と固定部材７０２の腕部が接触し、ＵＶ接着剤や半田により固定される。固定部材７０２は、撮像素子１０３、撮像基板１０４、光学ローパスフィルタ７００等を支持固定する。
【００３７】
光学部品保持部材７０５は、両面テープ７０６により撮像素子１０３のカバーガラス１０３ａに固着される。赤外カットフィルタ、位相板、光学ローパスフィルタ等で構成された光学ガラスユニット７０７は光学部品保持部材７０５の開口箇所にて位置決めされ、両面テープ７０６で撮像素子１０３のカバーガラス１０３ａに固定保持される。
【００３８】
遮光部材７０４は、撮像素子１０３の光電変換面の有効領域に対応した開口が形成され、撮影者側に両面テープが固着されており、光学ガラスユニット７０７に固定されている。光学部品保持部材７０５は樹脂で形成され、弾性部材７０５ａが一体成型で形成されているが、別体で弾性部材７０５ａを構成してもよい。
【００３９】
付勢部材７０８には両面テープ７０９が貼り付けられ、光学ローパスフィルタ７００を光学部品保持部材７０５の弾性部材７０５ａへと付勢しながらスナップフィット等により光学部品保持部材７０５に固定する。これにより、弾性部材７０５ａと光学ローパスフィルタ７００は隙間無く密着し、光学部品保持部材７０５と撮像素子１０３のカバーガラス１０３ａも同様に隙間無く密着している。この構成により、塵埃等の異物の侵入を防ぐ密閉空間が形成されている。
【００４０】
圧電素子（振動部材）７０１は、光学ローパスフィルタ７００端部に接着剤等によって固着される。これにより、圧電素子７０１と光学ローパスフィルタ７００が一体的に屈曲運動し定在波振動が発生する。本実施例においては、光学ローパスフィルタ７００に屈曲振動を励起しているが、複屈折板、位相板及び赤外カットフィルタの貼り合わせによって構成される光学ローパスフィルタや複屈折板もしくは位相板単体に屈曲振動を励起させてもよい。
【００４１】
防塵シート（防振部材）７１０は、ポリエステルシートやＰＥＴシート等の可撓性がある（弾性変形可能な）シート材料またはフィルム材料から構成されている。防塵シート７１０の固定部７１０ｃは両面テープ７１１により付勢部材７０８の光軸ＯＡに平行な面７０８ａに固定されている。両面テープ７１１は振動の減衰させる振動減衰部材であり、光学ローパスフィルタ７００の振動が付勢部材７０８を伝わって防塵シート７１０を共振させることを防止することができる。防塵シート７１０は、シャッターユニット１１０（駆動ユニット）と接触する腕部（端部）７１０ａと７１０ｂと固定部７１０ｃを有する。腕部７１０ａは、断面Ｌ字形状の折れ曲がり部７１０ａ１を有する。
【００４２】
９００は、カメラ１００に対する撮像素子ユニット５００の位置調整用のコイルばねである。即ち、コイルばね９００は、撮像素子ユニット５００をカメラ１００に取り付ける際に、撮影レンズ１０１の取り付け面に対して、撮像素子１０３の撮像面が所定の距離を空けて、かつ平行になるように圧縮量（ばね圧）が調整される。
【００４３】
撮像素子ユニット５００は、カメラ１００に、撮影レンズ１０１の取り付け面に対して、撮像素子１０３の撮像面（受光面）が所定の距離隔てて、かつ平行になるように前記コイルばね９００により調整され、カメラ１００に組み付けられる。
【００４４】
図８はカメラ１００の正面図であり、図９は、図８のＤＤ線に沿った光軸ＯＡから端までに概略部分断面図である。図８、図９において、ＸＹ平面は光軸直交平面であり、Ｘ軸はカメラ１００の横方向（長手方向、水平方向）、Ｙ軸は、カメラ１００の縦方向（短手方向、垂直方向）である。Ｚ軸は、カメラ１００の光軸ＯＡ方向である。
【００４５】
図９に示すように、防塵シート７１０の腕部７１０ａの折れ曲がり部７１０ａ１が第１の筐体１２１の面１２１ａと角度αだけ変形した状態で（少ない摩擦力で）線接触する。また、腕部７１０ｂは、シャッターチャージユニット１３０の面１２６の端部１２６ａと角度βだけ変形した状態で接触し、固定部材７０２に角度γだけ変形した状態で接触する。腕部７１０ａは、シャッターチャージレバー１４０の上下移動により発生するゴミが光学ローパスフィルタ７００の表面につく経路を腕部７１０ａにより遮断する又は狭める（光学ローパスフィルタ７００と面１２１ａの光軸方向の隙間をなくす又は狭める）。また、ゴミが撮像基板１０４につく経路を腕部７１０ｂにより遮断するまた狭める（撮像基板１０４とシャッターチャージレバー１４０の光軸方向の隙間をなくす又は狭める）。防塵シート７１０の角度（チャージ量）αは撮像面と撮影レンズ１０１の取り付け面の距離を調整する際に必要な調整量よりも大きく設定されることで調整後も必ず腕部７１０ｂが面１２６と接触する構成になっている。
【００４６】
また、角度β、γによる弾性変形量は光軸と直交する面方向の移動量に換算した場合に、駆動装置４０００を用いて撮像素子ユニット５００を光軸直交方向に駆動することにより防振を行う際の、撮像素子ユニット５００の移動量よりも大きく設定される。これにより、防塵シート７１０により駆動ユニットからのゴミが撮像素子ユニット５００の光学面及び基板に付着する経路の遮断を維持することができる。本実施例は、防塵シート７１０の腕部７１０ｂを固定部材７０２に接触させているが、これに限定されず、例えば、撮像基板１０４に接触させてもよい。
【００４７】
また、防塵シート７１０は弾性シート材料で構成され、その接触圧は、撮像素子ユニット５００の位置調整用のコイルばね９００のばね圧（付勢力）よりも小さくなっている。それにより、撮像素子ユニット５００の位置の変動や、防振による位置の移動に対し、撮像素子ユニット５００への接触負荷の影響を低減できる。
【００４８】
図１０は、撮像素子ユニット５００を被写体側から見た平面図である。図１０に示すように、防塵シート７１０のＹ軸方向の長さＢを撮像素子１０３の光電変換面の有効領域（光電変換領域）の短手長さＡよりも上下共に長くすることで、光電変換面の有効領域内へゴミが入りにくくなる。この結果、撮影画像にゴミが映り込みづらくなり、画質を維持することができる。
【００４９】
以上により、撮像素子ユニットの位置が変動しても、駆動ユニットから発生するゴミが撮像素子ユニット５００の光学部材や基板に付着することを低減可能で、且つ撮像素子ユニットへの接触負荷の小さい防塵構成が可能となる。
【実施例２】
【００５０】
次に、図１１、図１２を参照して、本発明の実施例２について説明する。実施例２は防塵シート７１０の代わりに防塵シート（防振部材）８１０を使用する点が実施例１と相違し、それ以外は実施例１とほぼ同様であるため、相違点を中心に説明する。
【００５１】
図１１は、シャッターユニット１１０の斜視図である。防塵シート８１０が本体部１２０の第１の筐体１２１の面１２３及びシャッターチャージベース１３１の起立部１３５の面１３６の２平面に両面テープで固定されている。防塵シート８１０は腕部（端部）８１０ｂ、固定部（端部）８１０ａ、固定部８１０ｃを有する。面１２３には固定部８１０ａが固定され、面１３６には固定部８１０ｃが接着されている。
【００５２】
図１２は、図９に対応する実施例２のカメラ本体の概略部分断面図である。防塵シート８１０の腕部８１０ｂが第２の筐体１２５の撮像素子１０３に最も近い面１２５ａには接触しておらず、固定部材７０２に角度δだけ変形した状態で接触している。腕部８１０ｂは、シャッターチャージレバー１４０の上下移動により発生するゴミが光学ローパスフィルタ７００の表面に付着する経路を固定部８１０ａにより遮断する（光学ローパスフィルタ７００と面１２１ａの光軸方向の隙間をなくす又は狭める）。また、ゴミが撮像基板１０４に付着する経路を腕部８１０ｂにより遮断する（撮像基板１０４とシャッターチャージレバー１４０の光軸方向の隙間をなくす又は狭める）。
【００５３】
防塵シート８１０の角度δは、角度β、γと同様に、撮像素子１０３を３軸方向に駆動することで撮影画像の防振を行う際の、撮像素子ユニット５００の移動量よりも大きく設定される。これにより、常に防塵シート８１０により駆動ユニットからのゴミが撮像素子ユニット５００の光学部品及び電気部品に付着する経路の遮断を維持することができる。本実施例は、防塵シート８１０の腕部８１０ｂを固定部材７０２に接触させているが、これに限定されず、例えば、撮像基板１０４に接触させてもよい。
【００５４】
本実施例は、駆動ユニットをシャッターユニット１１０としたが、これに限定されず、一眼レフカメラのクイックリターンミラー駆動機構や、撮像素子ユニット５００の防振機構等であってもよい。防塵シート７１０、８１０は略長方形の撮像素子ユニット５１０の１辺のみに固定されているが、これに限定されず、１辺以上または全周に固定されてもよい。
【００５５】
以上、撮像素子ユニット５００の位置が変動しても撮像素子ユニット５００の防塵性を維持し、撮像素子ユニットへの接触負荷を小さくすることが可能な撮像装置を提供することができる。
【００５６】
本発明によれば、撮像素子ユニット５００と、駆動ユニットと、撮像素子ユニット及び駆動ユニットの一方に固定される固定部と、固定部から撮像素子ユニット及び駆動ユニットの他方に向かって延びる腕部と、を有する防塵シート７１０、８１０と、を有する。駆動ユニットは、例えば、シャッターユニット１１０であるが、これに限定されない。
【００５７】
例えば、防塵シート７１０の固定部７１０ｃは撮像素子ユニット５００に固定され、腕部７１０ａ、７１０ｂはシャッターユニット１１０に向かって延びる。また、防塵部材８１０の固定部８１０ｃはシャッターユニット１１０に固定され、腕部８１０ｂは撮像素子ユニット５００に向かって延びる。これにより、腕部は駆動ユニットと撮像素子ユニットの所定領域（例えば、光学ローパスフィルタ７００等の光学部品および撮像基板１０４等の電気部品の少なくとも一方の領域）への経路を狭めることができる。このため、駆動ユニットからのゴミが所定領域に付着することを防止することができる。この結果、ゴミが被写体像に映り込んだり、電気部品のショートを防止することができる。
【００５８】
腕部は前記他方に接触していなくても経路を遮断しなくても狭めることができれば一定の効果があるが、腕部は、前記他方に接触することが好ましい。これにより、経路を遮断することができる。例えば、腕部７１０ａはシャッターユニット１１０の面１２１ａに接触し、腕部７１０ｂはシャッターユニット１１０の端部１３６ａに接触する。なお、腕部７１０ｂのように、更に撮像素子ユニット５００（の撮像基板１０４の被写体側の端部１０４ａ）に接触して折り曲げ角度γを形成してもよい。また、腕部８１０ｂは撮像素子ユニット５００の撮像基板１０４の被写体側の端部１０４ａに接触する。
【００５９】
防塵シート７１０は、前記他方に弾性変形により接触してもよい。この場合、防塵シート７１０は、可撓性のあるシート材料から構成されてもよい。腕部７１０ａは、断面Ｌ字形状の折れ曲がり部７１０ａ１を有し、折れ曲がり部７１０ａ１において前記他方に接触してもよい。これにより、面接触よりも摩擦力が小さくなるので、撮像素子１０３を防振することが容易になる。腕部は、固定部から光軸ＯＡに対して斜めに延びてもよい。これにより、接触位置を柔軟に変更しやすくなるので撮像素子１０３の位置が変動しても防塵を維持しやすくなる。
【００６０】
撮像素子ユニット５００は、光学ローパスフィルタ７００と、光学部品を振動させる圧電素子７０１と、固定部７１０ｃ、８１０ｃを前記一方に固定すると共に振動を減衰する振動減衰部材（例えば、両面テープ７１１）を更に有してもよい。これにより、例えば、光学ローパスフィルタ７００の振動により防塵シート７１０が共振することを防止することができる。防塵シート７１０は、他の機能（例えば、磁気シールド機能を有してもよい）。腕部の第１の方向における長さは、第１の方向における撮像素子の光電変換領域よりも長い。例えば、防塵シート７１０のＹ軸方向の長さＢを撮像素子１０３の光電変換面の有効領域（光電変換領域）の短手長さＡよりも長くすることで、光電変換面の有効領域内へゴミが入りにくくなる。この結果、撮影画像にゴミが映り込みづらくなり、画質を維持することができる。
【００６１】
撮像素子ユニット５００は、カメラ１００に対する撮像素子ユニット５００の位置調整用のコイルばね９００を更に有し、コイルばねの付勢力（バネ圧）よりも腕部の前記他方への接触圧の方が小さいことが好ましい。それにより、撮像素子ユニット５００の位置の変動や、防振による位置の移動に対し、撮像素子ユニット５００への接触負荷の影響を低減できる。
【００６２】
撮像素子ユニット５００を光軸ＯＡと直交する面方向に駆動する手段（駆動装置４０００）を更に有し、腕部の前記他方への弾性変形量（角度β、γ）を面方向に換算した移動量は、駆動手段による撮像素子ユニット５００の移動量よりも大きいことが好ましい。これにより、防塵シート７１０により駆動ユニットからのゴミが防振時に駆動される撮像素子ユニット５００の光学部品及び電気部品に付着する経路の遮断を維持することができる。固定部７１０ｃ、８１０ｃは、前記一方の光軸ＯＡに平行な少なくとも１つの面７０８ａ、１３６に固定されてもよい。これにより、撮像光束を遮らずにゴミの撮像素子ユニットへの付着を防止することができる。
【００６３】
駆動ユニットであるシャッターユニット１１０は、複数のシャッター羽根を収納する第１の筐体１２１と、複数のシャッター羽根を移動させる移動機構を収納し、第１の筐体１２１の像側に設けられた第２の筐体１２５と、を有してもよい。従来は第２の筐体１２５は第１の筐体１２１の物体側に設けられていたが、小型化のために像側に設けられた構成ではゴミの発生が問題となるからである。腕部７１０ａは、第１の筐体１２１の開口部１２２と第２の筐体１２５の間の像側の面１２１ａに接触してもよい。シャッターユニット１１０はシャッター羽根ユニット（複数の遮光部材）１２３をチャージするシャッターチャージユニット１３０を更に有する。撮像素子ユニット５００は撮像基板１０４とそれを固定する固定部材７０２を含み、腕部７１０ｂは、撮像基板１０４または固定部材７０２に接触してもよい。シャッターチャージユニット１３０は、第１の筐体１２１に固定され、シャッターセット部材１２６を駆動するシャッターチャージレバー１４０が固定されるシャッターチャージベース１３１を有し、腕部７１０ｂはシャッターチャージベース１３１に接触してもよい。
【００６４】
撮像装置は、撮影レンズ１０１が着脱されるカメラ１００（カメラ本体）であってもよいしレンズ一体型の撮像装置であってもよい。
【００６５】
以上、本発明の好ましい実施例について説明したが、本発明はこれらの実施例に限定されず、その要旨の範囲内で種々の変形及び変更が可能である。
【産業上の利用可能性】
【００６６】
本発明は、デジタルカメラなどの撮像装置に適用することができる。
【符号の説明】
【００６７】
１００…カメラ（撮像装置）、１０３…撮像素子、１１０…シャッターユニット（駆動ユニット）、５００…撮像素子ユニット、７１０、８１０…防塵シート、７１０ａ、７１０ｂ、８１０ａ、８１０ｂ…腕部、７１０ｃ、８１０ｃ…固定部、７１０ａ１…折り曲げ部、７１１…両面テープ（振動減衰部材）、９００…コイルばね、４０００…駆動装置、ＯＡ…光軸
【図１】
2020003546.tif 000003
【図２】
2020003546.tif 000004
【図３】
2020003546.tif 000005
【図４】
2020003546.tif 000006
【図５】
2020003546.tif 000007
【図６】
2020003546.tif 000008
【図７】
2020003546.tif 000009
【図８】
2020003546.tif 000010
【図９】
2020003546.tif 000011
【図１０】
2020003546.tif 000012
【図１１】
2020003546.tif 000013
【図１２】
2020003546.tif 000014